(57)【要約】【課題】基本構造物の連結部屋根から雨水が浸入した場合でもその雨水を外部へ排出できるようにし、また連結部屋根から雨水が浸入し難いようにして、雨漏りを防止する。【解決手段】例えば、基本構造物Ａ，Ｂを連棟するユニットハウスにおいて、基本構造物Ａ，Ｂの屋根側の鉄骨１，２の連結部下側に、連結線１００に沿って横樋２０を配設し、この横樋２０にハウス側面側に配置した縦樋２４を連結することにより、連結部屋根から浸入した雨水を外部へ排出する。上記横樋２０は、退避位置と支持位置（Ｐ２）に移動する回転支持体１８ｄを備えた樋受け具１８で容易に取り付けることができ、屋根パネル７，８の連結部には、上記鉄骨１，２の隙間ｅ２に挿入される中央部垂直片１４ａと、屋根パネル７，８の連結部側から２番目の凹部７Ｄ２，８Ｄ２に係合する両側部垂直片１４ｂとを有する屋根カバー１４を取り付ける。【選択図】図１
0003129393.tif 000002
【実用新案登録請求の範囲】
【請求項１】
複数のボックス型基本構造物を連棟して１戸の建築物を建設する組立式建築物において、
複数の上記基本構造物の連結部の屋根の下方位置で連結線方向に沿うように、その連結部からの漏水を受ける内部横樋を設け、この内部横樋の端部を建築物外壁部まで配置したことを特徴とする組立式建築物。
【請求項２】
上記建築物外壁部に、縦樋を設け、この縦樋の上部に上記内部横樋の端部を接続することを特徴とする請求項１記載の組立式建築物。
【請求項３】
上記基本構造物の連結部の天井端部に着脱自在に係合する係合部と、この係合部に回転可能に軸支され、かつ水平方向で退避位置と支持位置に移動する回転支持体とを有する樋受け具を設け、上記天井端部に取り付けられた該樋受け具は、その回転支持体を退避位置から支持位置へ配置することにより、上記内部横樋を基本構造物連結部の天井間に支持し、この横樋の下面と天井面に一致させるようにしたことを特徴とする請求項１又は２記載の組立式建築物。
【請求項４】
上記屋根部材として波状パネルが配設された上記基本構造物の連結部に取り付けるカバーであって、上記複数の基本構造物の連結部の隙間に挿入される中央部垂直片、及び上記波状パネルの連結部側から２番目以降の凹部に係合する両側部垂直片を有する連結部屋根カバーを設けたことを特徴とする請求項１乃至３記載の組立式建築物。
【考案の詳細な説明】
【技術分野】
【０００１】
本考案は、基本構造物を連棟するユニットハウス等の組立式建築物で生じる雨漏りをなくすための構造に関するものである。
【背景技術】
【０００２】
従来から、ユニットハウス、プレハブ、パネルハウス等と呼ばれる組立式建築物が事務所、店舗、仮設住宅等として建設されており、これらの組立式建築物は、例えば鉄骨の複数のボックス型基本構造物を連結・接続し、塗装された屋根パネル、壁パネル、床パネル等、工場で仕上げられた構成部材を組み付けることにより建てられる。このような組立式建築物によれば、組立工数が少なく、短時間に建設が完成するという利点がある。
【０００３】
【特許文献１】特開２００５−２８２１２５号公報
【特許文献２】特開２００３−２９３４５７号公報
【考案の開示】
【考案が解決しようとする課題】
【０００４】
ところで、この種の組立式建築物でも、一般の建築物と同様、軒等に雨樋が取り付けられ、雨水の排水処理が行われる。しかしながら、この組立式建築物では、複数のボックス型の構造物を連棟するため、それらの繋ぎ目、即ち連結部から雨水が浸入し、天井部分に雨漏りが生じるという問題があった。
【０００５】
図７には、従来のユニットハウスにおける連結部の屋根から天井の部分の構成が示されており、この図７は、ボックス型の基本構造物Ａと基本構造物Ｂを連棟する。このユニットハウスでは、基本構造物Ａの上部鉄骨（梁）１と基本構造物Ｂの上部鉄骨（梁）２がボルト３で連結され、基本構造物Ａの天井４と基本構造物Ｂの天井５との間には、天井部材を有するスペーサ６が取り付けられる。一方、波状の屋根パネル７，８が基本構造物Ａ，Ｂに配置されており、屋根パネル７はカバー９で鉄骨１に固定され、屋根パネル８はカバー１０で鉄骨２に固定される。そして、このカバー９と１０との隙間は、雨漏りを防止するためコーキング剤１１で塞がれる。
【０００６】
しかしながら、上記従来のユニットハウスの構成では、屋根パネル７，８の凹部７Ｄ１，８Ｄ１に溜まった雨水が矢示のように、屋根パネル７，８とカバー９，１０との隙間ｅ１からカバー９，１０の内部へ浸入し、鉄骨１，２の上面、上部合せ目の隙間ｅ２を通って鉄骨１，２の内部へ入り、更に鉄骨１，２の下部合せ目の隙間ｅ３を通って上記スペーサ６の裏側へ到達することがある。
【０００７】
本考案は上記問題点に鑑みてなされたものであり、その目的は、基本構造物の連結部屋根から雨水が浸入した場合でもその雨水を外部へ排出できるようにし、また連結部屋根から雨水が浸入し難いようにして、雨漏りを良好に防止することが可能になる組立式建築物を提供することにある。
【課題を解決するための手段】
【０００８】
上記目的を達成するために、請求項１に係る考案は、複数のボックス型基本構造物を連棟して１戸の建築物を建設する組立式建築物において、複数の上記基本構造物の連結部の屋根の下方位置で連結線方向に沿うように、その連結部からの漏水を受ける内部横樋を設け、この内部横樋の端部を建築物外壁部まで配置したことを特徴とする。
請求項２に係る考案は、上記建築物外壁部に、縦樋を設け、この縦樋の上部に上記内部横樋の端部を接続することを特徴とする。
【０００９】
請求項３に係る考案は、上記基本構造物の連結部の天井端部に着脱自在に係合する係合部と、この係合部に回転可能に軸支され、かつ水平方向で退避位置と支持位置に移動する回転支持体とを有する樋受け具を設け、上記天井端部に取り付けられた該樋受け具は、その回転支持体を退避位置から支持位置へ配置することにより、上記内部横樋を基本構造物連結部の天井間に支持し、この横樋の下面と天井面に一致させるようにしたことを特徴とする。
請求項４に係る考案は、上記屋根部材として波状パネルが配設された上記基本構造物の連結部に取り付けるカバーであって、上記複数の基本構造物の連結部の隙間に挿入される中央部垂直片、及び上記波状パネルの連結部側から２番目以降の凹部に係合する両側部垂直片を有する連結部屋根カバーを設けたことを特徴とする。
【考案の効果】
【００１０】
本考案の組立式建築物は、基本構造物の連結部の屋根下方の連結線方向に内部横樋を設けることにより、連結部屋根から雨水が浸入した場合でもその雨水を外部へ良好に排出することができ、雨漏りが良好に防止可能になるという効果がある。
また、退避位置と支持位置に移動する回転支持体を有する樋受け具を用いることにより、天井部における横樋の取り付けが簡単かつ容易になるという利点を有し、更には中央部垂直片と波状パネルの連結部側から２番目以降の凹部に係合する両側部垂直片を有する屋根カバーを設けることにより、従来のようにコーキング剤を施工することなく、連結部屋根から雨水が浸入し難いようにすることができるという効果がある。
【考案を実施するための最良の形態】
【００１１】
図１及び図２には、本考案の実施例に係るユニットハウス（組立式建築物）の連結部上側の屋根から天井の部分の構成［図３（Ａ）に示すＩ−Ｉ線で切断した図］が示され、図３には、２つのボックス型の基本構造物（構造体）を連結する場合の構成が示されている。図３に示されるように、実施例のユニットハウスは、例えば直方体状に組んだ鉄骨（枠体）を有する基本構造物Ａとこれと同一の基本構造物Ｂを長手方向の側面で連結しており、この基本構造物Ａ，Ｂの上部の鉄骨（梁）１，２の上側に波状の屋根パネル（板）７，８（図には１つのみ描いてある）が配設され、この屋根パネル７，８の連結部上側に、屋根カバー１４が取り付けられる。
【００１２】
図１において、実施例の上記連結部上側の屋根から天井の部分は、従来と同様に、基本構造物Ａの上部鉄骨１と基本構造物Ｂの上部鉄骨２（の下側突出片）がボルト（及びナット）３で連結され、この鉄骨１には、中間（金属）部材１５を介して天井４が溶接やボルト締め等で取り付けられ、上記鉄骨２にも、同様にして中間部材１６を介して天井５が取り付けられる。一方、基本構造物Ａの屋根パネル７が上記鉄骨１の上側に、基本構造物Ｂの屋根パネル８が上記鉄骨２の上側に載置される。
【００１３】
このような構成において、実施例では、上記天井４，５の上下端が角形（角柱形）の端部（金属部材）４Ｇ，５Ｇに樋受け具（金具）１８を４個（複数個）係合し、この樋受け具１８によって横樋２０を支持することにより、該横樋２０が連結線１００（鉄骨１と２の合せ目方向）に沿って配設される。
【００１４】
図４には、上記樋受け具１８の詳細な構成が示されており、この樋受け具１８は、天井４，５の上下角形端部４Ｇ，５Ｇに嵌合するコ字状係合部（金属片）１８ａ、この係合部１８ａの内側に貼着されたマグネット（磁石）板１８ｂ、上記係合部１８ａの底部片に軸（及び固定）部材１８ｃで回転可能に軸支された回転支持体（板）１８ｄからなる。この回転支持体１８ｄは、軸部材１８ｃを軸として水平面内で回転し、図４（Ａ）の退避位置Ｐ１と図４（Ｂ）の支持位置Ｐ２に移動することができ、このような回転支持体１８ｄで上記横樋２０を支持する。
【００１５】
即ち、図２に示されるように、実施例では、上記回転支持体１８ｄが退避位置Ｐ１にある樋受け具１８を、そのマグネット板１８ｂにて天井４，５の端部４Ｇ，５Ｇに係合させ、その後に横樋２０を鉄骨１，２の下側へ配置し、該樋受け具１８の回転支持体１８ｄを図１のように支持位置Ｐ２に移動させることにより、横樋２０が支持される。このとき、横樋２０の下面は天井面と一致する状態となる。なお、実施例の樋受け具１８はマグネット板１８ｂを固定方法として用いたが、この樋受け具１８は、天井４，５の端部４Ｇ，５Ｇから外れない状態にすればよく、端部４Ｇ，５Ｇの係合孔等に引っ掛けるような係合爪を設けてもよいし、他の強固な固定手段（ネジ部材等）を用いてもよい。
【００１６】
図５及び図６には、実施例の上記横樋２０と縦樋の構成が示されており、横樋２０は、図５のように側面側部分を残した状態で上面全体の長手方向に沿った開口部２０ｄが設けられるように金属板を４角柱状に折り曲げて形成したもので、図６（Ａ）に示されるように、基本構造物Ａ，Ｂの短辺側の両側面２２の間に、連結線１００の方向に沿って配置されており、図６（Ｂ）に示されるように、この横樋２０は雨水の流れをスムーズにするために中心部から端部へ向けて下り勾配（下向き傾斜）Ｋが設けられる。そして、この横樋２０に連結する形で縦樋２４が側面２２の外壁内（外壁と内壁の間）に設けられる。
【００１７】
即ち、図５に示されるように、横樋２０の両端部にその底面板を直角に曲げた係合片２０ｆが形成され、縦樋２４の内側面には、この係合片２０ｆを嵌め入れるための（係合片２０ｆの横幅よりも僅かに大きい幅の）開口２４ｈが形成されると共に、この開口２４ｈの板を曲げた水平片２４ｊが設けられる。そして、この縦樋２４の開口２４ｈに上記横樋２０の係合片２０ｆを嵌合させ、横樋２０の底面を水平片２４ｊで支持する状態に配置することにより、横樋２０と縦樋２４が連結される。なお、この縦樋２４は雨水管（排水管）等へ連通される。
【００１８】
また、図３（Ｃ）で説明したように、実施例では、連結部の屋根パネル７，８の上側に屋根カバー１４が取り付けられるが、この屋根カバー１４は、図１にも示されるように、その中央部に設けられた中央部垂直片（板）１４ａと両側の側部垂直片（板）１４ｂとを有する。即ち、上記中央部垂直片１４ａは基本構造物Ａ，Ｂの連結部の鉄骨１と２の隙間を埋める位置に配置され、両側部の側部垂直片１４ｂは、その一方が波状の屋根パネル７の連結部側から２番目の凹部７Ｄ２の側部（傾斜面下端部）に係合し、他方が屋根パネル８の連結部側から２番目の凹部８Ｄ２の側部（傾斜面下端部）に係合するように配置、形成される。このような側部垂直片１４ｂによれば、屋根パネル７，８との隙間ｅ１から侵入する雨水を１番目の凹部７Ｄ１，８Ｄ１に溜め、鉄骨１，２の隙間ｅ２からの雨水の浸入を防ぐことができる。
【００１９】
実施例は以上の構成からなり、ユニットハウスを組み立てる場合、例えば図３（Ａ）のように、基本構造物Ａ，Ｂを並べて配設し、図３（Ｂ）の屋根パネル７，８を鉄骨１と２の上に、図３（Ｃ）の屋根カバー（連結部屋根カバー）１４を屋根７，８の上に配置する。このとき、図１に示されるように、屋根カバー１４の中央垂直片１４ａを鉄骨１と２の合せ目（連結線１００）隙間（ｅ２）に嵌め入れ、この隙間が塞がれるようにボルト３でこれら鉄骨１と２をしっかりと固定する。これにより、連結部隙間の防水が図られ、従来のようなコーキング剤を設ける必要もない。また、屋根カバー１４の両側の側部垂直片１４ｂが波状の屋根パネル７，８のそれぞれの２番目の凹部７Ｄ２，８Ｄ２に係合するので、この凹部７Ｄ２，８Ｄ２から屋根カバー１４との隙間ｅ１を通って浸入する水は、１番目の凹部７Ｄ１，８Ｄ１に溜まり、鉄骨１と２の隙間ｅ２に達することが少なくなる。
【００２０】
次に、天井４，５の連結部においては、まず図４で説明した樋受け具１８を図２の状態で天井４，５の端部４Ｇ，５Ｇに取り付ける。これは、そのコ字状の係合部１８ａを端部４Ｇ，５Ｇに係合させることにより行われ、樋受け具１８は係合部１８ａの裏側のマグネット板１８ｂによって端部４Ｇ，５Ｇへしっかりと固定される。そして、図２の状態で、横樋２０を鉄骨１，２の下側へ連結線１００に沿って配置し、樋受け具１８の回転支持体１８ｄを退避位置Ｐ１から支持位置Ｐ２に移動させることにより、横樋２０が樋受け具１８で支持される。この樋受け具１８によれば、横樋２０の取付け配置が簡単かつ容易となる。
【００２１】
そして、この横樋２０は、図５及び図６に示されるように、基本構造物Ａ，Ｂの連結部の側面（短辺側の側面の連結部）２２に設けられた縦樋２４に接続される。なお、この縦樋２４の下端は雨水管等に接続される。
【００２２】
このような横樋２０及び縦樋２４によれば、鉄骨１と２の上部隙間ｅ２から雨水が浸入した場合でも、この雨水は下部隙間ｅ３から横樋２０へ落ち、この横樋２０に設定された下り勾配Ｋによって縦樋２４へ流れ、この縦樋２４から外部へ排出されることになる。この結果、天井４，５等への雨漏りが良好に防止される。
【００２３】
なお、実施例では、上記横樋２０を鉄骨１と２の真下に配置し、その下面を天井面と一致させるようにしたが、この横樋は天井部材の上に配置してもよいし、また鉄骨１と２の真下からずれた位置に配置し、導水（案内）部材等（導水路）を付加して上記下部隙間ｅ３から落ちる雨水を横樋に導くようにしてもよい。
更に、上記縦樋２４を外壁と内壁の間に設けるようにしたが、この縦樋はユニットハウスの外壁に外付けするように構成してもよい。
【図面の簡単な説明】
【００２４】
【図１】実施例のユニットハウス（組立式建築物）の連結部の屋根から天井の部分の構成を示し、図３（Ａ）のＩ−Ｉ線で切断した断面図である。
【図２】図１の構成において屋根カバー及び横樋の取付け前の状態を示し、図３（Ａ）のＩ−Ｉ線で切断した断面図である。
【図３】実施例のユニットハウスの全体構成を示し、図（Ａ）は基本構造物を並べた状態の図、図（Ｂ）は屋根パネルの図、図（Ｃ）は屋根カバーの図である。
【図４】実施例に用いられる樋受け具の構成を示し、図（Ａ）は回転支持体を退避位置に配置した側面図、図（Ｂ）は回転支持体を支持位置に配置した側面図、図（Ｃ）は図（Ｂ）の斜視図である。
【図５】実施例の横樋と縦樋の構成を示す斜視図である。
【図６】実施例の横樋と縦樋を示し、図（Ａ）は上面図、図（Ｂ）は側面断面図である。
【図７】従来のユニットハウスの連結部の屋根から天井の部分の構成を示す断面図である。
【符号の説明】
【００２５】
Ａ，Ｂ…基本構造物、        １，２…鉄骨、
４，５…天井、              ７，８…波状屋根パネル、
７Ｄ１，７Ｄ２，８Ｄ１，８Ｄ２…凹部、
９，１０，１４…屋根カバー、１４ａ…中央部垂直片、
１４ｂ…側部垂直片、        １８…樋受け具、
１８ｂ…マグネット板、      １８ｄ…回転支持体、
２０…横樋、                ２０ｆ…係合片、
２４…縦樋、                ２４ｈ…開口。
【図１】
0003129393.tif 000003
【図２】
0003129393.tif 000004
【図３】
0003129393.tif 000005
【図４】
0003129393.tif 000006
【図５】
0003129393.tif 000007
【図６】
0003129393.tif 000008
【図７】
0003129393.tif 000009
【手続補正書】
【提出日】平成18年11月30日(2006.11.30)
【手続補正１】
【補正対象書類名】実用新案登録請求の範囲
【補正対象項目名】請求項４
【補正方法】変更
【補正の内容】
【請求項４】
上記屋根部材として波状パネルが配設された上記基本構造物の連結部に取り付けるカバーであって、上記複数の基本構造物の連結部の隙間に挿入される中央部垂直片、及び上記波状パネルの連結部側から２番目以降の凹部に係合する両側部垂直片を有する連結部屋根カバーを設けたことを特徴とする請求項１乃至３のいずれか1項に記載の組立式建築物。